(57)【特許請求の範囲】
【請求項１】
コイル部と、前記コイル部を覆うセラミックコーティング部とで構成された医療用コイルであって、
前記コイル部は、同じ方向に巻回された、２つの渦巻き状コイルからなり、前記２つの渦巻き状コイルは、渦巻きの内側の端部どうしが電気的に接続され、渦巻きの外部の端子どうしが電気的に接続されたコイルであり、
かつ、前記２つの渦巻き状コイルを構成する絶縁膜被覆導線は、お互いに相似的な関係にて密着されており、
前記セラミックコーテイング部は、円柱形状であって、少なくとも、前記円柱形状の平面部の一つには、中央部に、突起部が設けられ、
前記セラミックコーティング部は、エラストマーとセラミック炭との混合で形成され、
前記エラストマーと、前記セラミック炭との重量比は、９．１対０．９から８．９対１．１の範囲であり、
前記突起部が、患者の患部に向かって、あてがわれるように前記セラミックコーテイングが固定され、
前記突起部が患部を押す効果、およびコイル部が患部を流れる微弱な電流を打ち消す効果によって、患者の症状、特に電磁波過敏症が軽減されることを特徴とする医療用コイル。
【請求項２】
前記エラストマーは、スチレン系熱可塑性エラストマーであることを特徴とする請求項１記載の医療用コイル。
【請求項３】
絶縁膜被覆導線を同じ方向に巻回して、２つの渦巻き状コイルを形成し、
かつ、前記２つの渦巻き状コイルを構成する絶縁膜被覆導線は、お互いに相似的な関係にて密着されており、
前記２つの渦巻き状コイルの、渦巻きの内側の端部どうしを電気的に接続し、渦巻きの外部の端子どうしを電気的に接続してコイル部を形成し、
前記コイル部の全体を、
エラストマーとセラミック炭との混合で形成された素材にてコーテイングし、
前記エラストマーとセラミック炭との重量比が、９．１対０．９から８．９対１．１の範囲とし、
前記セラミックコーテイング部が、円柱形状であって、少なくとも、前記円柱形状の平面部の一つには、中央部に、突起部が設けられるようにコーテイングすることを特徴とする医療用コイルの製造方法。
【発明の詳細な説明】
【技術分野】
【０００１】
本発明は、肩こり、筋肉のこり症状、冷え症状他の体の不具合、更に、近年新しく確認されている電磁波過敏症にも有効な、コイル部をセラミックコーティングした医療用コイルおよび医療用コイルの製造方法に関する。
【背景技術】
【０００２】
従来、医療用コイルを用いて、患者を治療する方法は、開示されていた。
例えば、特許文献１では、コイルをリング状に形成し、このコイルリングの中心に球状の突起物が設けられた医療用コイルについて記載されている。
【０００３】
特許文献２には、長尺方向に螺旋状に巻回したコイルを、テープによって患部に貼るつける構成について開示されている。
【先行技術文献】
【特許文献】
【０００４】
【特許文献１】実開平５−６２２６５号公
【特許文献２】特開平８−１１７３４８号公報
【発明の概要】
【発明が解決しようとする課題】
【０００５】
従来の特許文献１、特許文献２の医療用コイルは、肩こり、筋肉のこり症状、冷え症状他の体の不具合に対する治療効果が出るまでに時間がかかり、また、近年新しく確認されている電磁波過敏症に対しては、ほとんど効果のないものであった。
【０００６】
本発明の課題は、従来よりも、治療効果が高い、特に肩こり、筋肉のこり症状、冷え症状に加え、近年新しく確認されている電磁波過敏症対策にも、効果を発揮する医療用コイルおよびその製造方法を提供することである。
【課題を解決するための手段】
【０００７】
本発明の請求項１に係る医療用コイルは、コイル部と、前記コイル部を覆うセラミックコーティング部とで構成された医療用コイルであって、前記コイル部は、同じ方向に巻回された、２つの渦巻き状コイルからなり、前記２つの渦巻き状コイルは、渦巻きの内側の端部どうしが電気的に接続され、渦巻きの外部の端子どうしが電気的に接続されたコイルであり、かつ、前記２つの渦巻き状コイルを構成する絶縁膜被覆導線は、お互いに相似的な関係にて密着されており、前記セラミックコーテイング部は、円柱形状であって、少なくとも、前記円柱形状の平面部の一つには、中央部に、突起部が設けられ、前記セラミックコーティング部は、エラストマーとセラミック炭との混合で形成され、前記エラストマーと、前記セラミック炭との重量比は、９．１対０．９から８．９対１．１の範囲であり、前記突起部が、患者の患部に向かって、あてがわれるように前記セラミックコーテイングが固定され、前記突起部が患部を押す効果、およびコイル部が患部を流れる微弱な電流を打ち消す効果によって、患者の症状、特に電磁波過敏症が軽減されることを特徴とする医療用コイルである。
【０００９】
本発明の請求項２に係る発明は、前記エラストマーは、スチレン系熱可塑性エラストマーであることを特徴とする請求項１記載の医療用コイルである。
【００１１】
本発明の請求項３に係る医療用コイルの製造方法は、絶縁膜被覆導線を同じ方向に巻回して、２つの渦巻き状コイルを形成し、かつ、前記２つの渦巻き状コイルを構成する絶縁膜被覆導線は、お互いに相似的な関係にて密着されており、前記２つの渦巻き状コイルの、渦巻きの内側の端部どうしを電気的に接続し、渦巻きの外部の端子どうしを電気的に接続してコイル部を形成し、前記コイル部の全体を、エラストマーとセラミック炭との混合で形成された素材にてコーテイングし、前記エラストマーとセラミック炭との重量比が、９．１対０．９から８．９対１．１の範囲とし、前記セラミックコーテイング部が、円柱形状であって、少なくとも、前記円柱形状の平面部の一つには、中央部に、突起部が設けられるようにコーテイングすることを特徴とする医療用コイルの製造方法である。
【発明の効果】
【００１４】
請求項１，２，３、４の医療用コイルによれば、特に肩こり、筋肉のこり症状、冷え症状に加え、近年新しく確認されている電磁波過敏症対策にも、効果を発揮する医療用コイルを提供できる。
【００１５】
請求項５，６の医療用コイルの製造方法によれば、製造が容易で、量産性に優れた、安価な医療用コイルを提供できる。
【００１６】
請求項７の医療用コイルの使用方法によれば、確実に、患者の肩こり、筋肉のこり症状、冷え症状に加え、近年新しく確認されている電磁波過敏症対策にも、効果を発揮することができる
【００１７】
本発明によれば、従来よりも、治療効果が高い、特に肩こり、筋肉のこり症状、冷え症状に加え、近年新しく確認されている電磁波過敏症対策にも、効果を発揮する医療用コイルおよび医療用コイルの製造方法を提供することができる。
【図面の簡単な説明】
【００１８】
【図１】本発明の実施例１による医療用コイルの図。
【図２】図１での医療用コイルのコイル部の斜視図。
【図３】本発明の実施例２による医療用コイルの断面図。
【図４】実施例２の医療用コイルを、患者の患部へはりつけた図。
【図５】本発明の実施例３による医療用コイルの断面図。
【図６】実施例３の医療用コイルを、患者の患部へはりつけた図。
【図７】医療用コイルの原理説明図。
【発明を実施するための形態】
【００１９】
本発明の医療用コイルは、コイル部と、前記コイル部を覆うセラミックコーティング部とで構成された医療用コイルであって、前記コイル部は、同じ方向に巻回された、２つの渦巻き状コイルからなり、前記２つの渦巻き状コイルは、渦巻きの内側の端部どうしが電気的に接続され、渦巻きの外部の端子どうしが電気的に接続されたコイルであり、かつ、前記２つの渦巻き状コイルを構成する絶縁膜被覆導線は、お互いに相似的な関係にて密着されており、前記セラミックコーティング部は、エラストマーとセラミック炭との混合で形成されたことを特徴とする。
【００２０】
ここで、前記セラミックコーティング部において、エラストマーとセラミック炭との重量比は、９．１対０．９から８．９対１．１の範囲であることを特徴とする。また、前記エラストマーは、スチレン系熱可塑性エラストマーであることを特徴とする。
【００２１】
本発明の医療用コイルの製造方法は、絶縁膜被覆導線を同じ方向に巻回して、２つの渦巻き状コイルを形成し、かつ、前記２つの渦巻き状コイルを構成する絶縁膜被覆導線は、お互いに相似的な関係にて密着されており、前記２つの渦巻き状コイルの、渦巻きの内側の端部どうしを電気的に接続し、渦巻きの外部の端子どうしを電気的に接続してコイル部を形成し、前記コイル部の全体を、エラストマーとセラミック炭との混合で形成された素材にてコーテイングすることを特徴とする医療用コイルの製造方法である。
ここで。前記エラストマーとセラミック炭との重量比は、９．１対０．９から８．９対１．１の範囲に設定される。
【００２２】
本発明の医療用コイルの使用方法は、先に説明した医療用コイルの片面に突起部が設けられ、前記突起部が設けられた平面部を、患者の患部の皮膚の表面にあてがい、前記医療用コイル全体を、固定用粘着シートにて固定することを特徴とする医療用コイルの使用方法である。
【実施例】
【００２３】
（実施例１）
図１は、本発明の実施例１による医療用コイル１００の図である。
また、図２は、図１おけるにコイル部１０の斜視図である。
図１にて、医療用コイル１００は、コイル部１０全体をセラミックコーテイング部３にでモールドして形成されている。
ここで、セラミックコーテイング部３は、エラストマーとセラミック炭との混合で形成されており、エラストマーとセラミック炭との重量比は、９対１に設定した。
なお、ここで、前記エラストマーは、スチレン系熱可塑性エラストマーであり、例えば、ラバロン（登録商標）を使用している。
【００２４】
図２は、図１おけるにコイル部１０の斜視図であるが、ここで、コイル部１０は、渦巻き状である第１のコイル１と、渦巻き状である第２のコイル２とが組み合わされて形成されている。
第１のコイル１、第２のコイル２とも、素材は、絶縁被覆導線を使用しており、その巻き方法は、第１のコイルの巻き方向がＡ、第２のコイルの巻き方向がＢであって、巻き方向は、同一方向（図２では、時計まわりの方向）であって、お互いに相似的な関係にて密着されており、かつ、両コイルの内側の端部同士が、電気的に導通また、され、外側の端子同士が、コイル間導通部４によって電気的に導通されている。
【００２５】
（実施例２）
図３は、本発明の実施例２による医療用コイル２００の断面図である。医療用コイル２００の片側面のほぼ中央部に、突起部５が設けられている。
医療用コイル２００は、コイル部２０が、セラミックコーテイング部３aによってモールドされた形体であって、コイル部２０は、第１のコイル１a、第２のコイル２aから構成されている。コイル部２０の構成は、先の図２で説明した構造と同様である。
また、セラミックコーテイング部３aは、エラストマーとセラミック炭との混合で形成されており、エラストマーとセラミック炭との重量比は、９対１に設定した。
なお、ここで、前記エラストマーは、スチレン系熱可塑性エラストマーであり、例えば、ラバロン（登録商標）を使用している。
医療用コイル２００の寸法は、外径が１３ｍｍ、高さ１ｍｍ、突起部５は、外径３ｍｍで、高さ１ｍｍであるが、この寸法には限られない。
【００２６】
図４は、実施例２の医療用コイル２００を、患者の患部へはりつけた図である。
図４に示すごとく、医療用コイル２００の突起部５を有する平面部を、患者の患部７にあてがい、医療用コイル２００の全体を固定用粘着シート６によって固定している。
前記突起部５が患部を押す効果、およびコイル部２０の電磁気的な効果によって、患者の特に肩こり、筋肉のこり症状、冷え症状他の体の不具合が改善される。更に、近年新しく確認されている電磁波過敏症の軽減に有効な作用を示す。表１に、電波過敏症の症状分類の一覧表を示す。
【００２７】
図７は、医療用コイルの原理説明図である。人体の患部からは、前記患部を流れる微弱な電流によって、コイル面に対して、垂直方向の微弱な磁界が発生する。この磁界によって、第１のコイル、および、第２のコイルに起電力が発生する。しかし、第１のコイル、および、第２のコイルは、前記両者の起電力を打ち消すように接続されていて、これによって、何らかの内部エネルギーがコイル部に蓄えられ、このエネルギーが、患者の患部に作用するものと考えられる。
【００２８】
（実施例３）
図５は、本発明の実施例３による医療用コイルの断面図である。
医療用コイル３００の両側の平面部は、先に説明した、実施例２のような突起などは、一切なく、平坦な形状となっている。
医療用コイル３００は、コイル部３０が、セラミックコーテイング部３ｂによってモールドされた形体であって、コイル部３０は、第１のコイル１ｂ、第２のコイル２ｂから構成されている。コイル部３０の構成は、先の図２で説明した構造と同様である。
また、セラミックコーテイング部３aは、エラストマーとセラミック炭との混合で形成されており、エラストマーとセラミック炭との重量比は、９対１に設定した。
なお、ここで、前記エラストマーは、スチレン系熱可塑性エラストマーであり、例えば、ラバロン（登録商標）を使用している。
医療用コイル３０の寸法は、外径が１３ｍｍであるが、この寸法には限られない。
【００２９】
図５は、実施例２の医療用コイル３００を、患者の患部へはりつけた図である。
図５に示すごとく、医療用コイル３００のどちらかの平面部を、患者の患部７１にあてがい、医療用コイル３００の全体を固定用粘着シート６１によって固定している。
コイル部３０の電磁気的な効果によって、患者の特に肩こり、筋肉のこり症状、冷え症状他の体の不具合が改善される。更に、近年新しく確認されている電磁波過敏症の軽減に有効な作用を示す。表１に、電磁波過敏症の症状分類の一覧表を示す。
【００３０】
図７は、医療用コイルの原理説明図である。人体の患部からは、前記患部を流れる微弱な電流によって、コイル面に対して、垂直方向の微弱な磁界が発生する。この磁界によって、第１のコイル、および、第２のコイルに起電力が発生する。しかし、第１のコイル、および、第２のコイルは、前記両者の起電力を打ち消すように接続されていて、これによって、何らかの内部エネルギーがコイル部に蓄えられ、このエネルギーが、患者の患部に作用するものと考えられる。特に実施例３での医療用コイルでは、突起部はないが、電磁波過敏症の軽減には、突起部がないことは、障害とはなっていない。
【００３１】
【表１】
0005511931.tif 000002
【産業上の利用可能性】
【００３２】
本発明の、医療用コイルおよびその使用方法によれば、従来よりも、治療効果が高い、特に肩こり、筋肉のこり症状、冷え症状に加え、近年新しく確認されている電磁波過敏症にも、効果を発揮する医療用コイルおよびその製造方法、および使用方法を提供するこができ、医療の発展に寄与することができる。
【符号の説明】
【００３３】
１、１a，１ｂ    第１のコイル
２，２a，２ｂ    第２のコイル
３，３a，３ｂ    セラミックコーテイング部
４    コイル間導通部
５    突起部
６，６１    固定用粘着シート
７，７１，７２    患者の患部（場所の説明する）
８  患部に流れる筋電流
９  筋電流による磁束
１０、２０、３０    コイル部
１００，２００，３００  医療用コイル
Ａ  第１のコイルの巻き方向
Ｂ  第２のコイルの巻き方向
【図１】
0005511931.tif 000003
【図２】
0005511931.tif 000004
【図３】
0005511931.tif 000005
【図４】
0005511931.tif 000006
【図５】
0005511931.tif 000007
【図６】
0005511931.tif 000008
【図７】
0005511931.tif 000009